(57)【特許請求の範囲】
【請求項１】
ホッパー（１）の下方に設けた吸入管（２）をケーキの輸送管（４）に連結し、吸入管（２）の供給口（３）に配設した吸入弁（７）と輸送管（４）に内設した吸入・輸送用の圧送ピストンシリンダー（９）を連動させてケーキを輸送する圧送ポンプにおいて、上記吸入管（２）に内設したオーガー（６）に油圧モーター（５）を配設し、この油圧モーター（５）の駆動油の排出回路を圧送ピストンシリンダー（９）のロッド側油室（９ｂ）の吸入回路に連結して、油圧モーター（５）の駆動油を圧送ピストンシリンダー（９）のロッド側油室（９ｂ）に供給すると共に、油圧モーター（５）の駆動回路（１３）と圧送ピストンシリンダー（９）のヘッド側油室（９ａ）の圧送回路（１４）を油槽（１６）に連通させたピストン作動弁（１２）にそれぞれ接続し、油槽（１６）から油圧モーター（５）に油を圧入し、圧送ピストンシリンダー（９）のヘッド側油室（９ａ）の油を油槽（１６）に排出させることを特徴とするケーキ圧送ポンプ。
【請求項２】
油圧モーター（５）の駆動油の排出回路（１９）と、圧送ピストンシリンダー（９）のロッド側油室（９ｂ）への吸入回路（２０）の連結点（Ｃ）に給排回路（２１）を連結し、この給排回路（２１）に流量調整弁（２２）と圧力調整弁（２３）を直列に配列してピストン作動弁（１２）に連通させて、圧送ピストンシリンダー（９）のロッド側油室（９ｂ）の不足する油圧を給排回路（２１）から吸入回路（２０）に補給すると共に、ピストン作動弁（１２）に接続した給排回路（２１）に逆止弁（２４）を介装した並列回路（２５）を分岐して、圧送ピストンシリンダー（９）のロッド側油室（９ｂ）から排出される油を、並列回路（２５）から油槽（１６）に返送させることを特徴とする請求項１記載のケーキ圧送ポンプ。
【発明の詳細な説明】
【０００１】
【発明の属する技術分野】
この発明は、汚泥等のケーキ圧送ポンプに関し、特に、ケーキ供給用のオーガーの油圧モーターに圧入した駆動油を利用して、圧送ピストンシリンダーを作動させる装置に関する。
【０００２】
【従来の技術】
従来、ピストン型の圧送ポンプは、例えば、特開昭６２−１４７０５４号公報に記載してあるようにダブルシリンダー型が一般に使用されている。このダブルシリンダー型の油圧シリンダーの駆動は、油圧ポンプを使用しているが、一対のシリンダーに交互に油を送るため、油圧動力と油圧タンクの削減につながっている。また、例えば、特開平７−３３２２３０号公報に記載してあるように、ホッパーの下側にオーガーを備えた供給口に吸込バルブを対設し、この供給口を開閉させる輸送管に吸入・圧縮用の圧送ピストンシリンダーを内設したシングル型の圧送ピストンポンプも公知である。
【０００３】
【発明が解決しようとする課題】
上記従来のダブルシリンダー型の圧送ポンプは、シリンダーに交互に油を送るため、供給口でのバルブの開閉が頻繁となり耐久性に問題があった。また、シングル型では、断続的な圧送ポンプの作動のため、油圧の動力が増加して油圧タンクも大きくなる欠点があった。そして、ケーキ圧送ポンプには、ポンプにケーキを送込むためのオーガーやパドル等が必要であり、シングル型の場合には、これらも断続運転となる。これらの駆動はケーキ排出後の圧送ポンプのシリンダーを後退させて、ケーキを輸送管に吸入するときになされるものである。この発明は、シングル型のケーキ圧送ポンプの油圧を有効利用して、使用する油量を減少させる装置を提供する。
【０００４】
【課題を解決するための手段】
この発明の要旨は、ホッパーの下方に設けた吸入管をケーキの輸送管に連結し、吸入管の供給口に配設した吸入弁と輸送管に内設した吸入・輸送用の圧送ピストンシリンダーを連動させてケーキを輸送する圧送ポンプにおいて、上記吸入管に内設したオーガーに油圧モーターを配設し、この油圧モーターの駆動油の排出回路を圧送ピストンシリンダーのロッド側油室の吸入回路に連結して、油圧モーターの駆動油を圧送ピストンシリンダーのロッド側油室に供給すると共に、油圧モーターの駆動回路と圧送ピストンシリンダーのヘッド側油室の圧送回路を油槽に連通させたピストン作動弁にそれぞれ接続し、油槽から油圧モーターに油を圧入して、圧送ピストンシリンダーのヘッド側油室の油を油槽に排出させるもので、オーガーの油圧モーターの駆動油を利用して、圧送ピストンシリンダーを作動させるものである。
【０００５】
油圧モーターの駆動油の排出回路と、圧送ピストンシリンダーのロッド側油室への吸入回路の連結点に給排回路を連結し、この給排回路に流量調整弁と圧力調整弁を直列に配列してピストン作動弁に連通させて、圧送ピストンシリンダーのロッド側油室の不足する油圧を給排回路から吸入回路に補給すると共に、ピストン作動弁に接続した給排回路に逆止弁を介装した並列回路を分岐して、圧送ピストンシリンダーのロッド側油室から排出される油を並列回路から油槽に返送させるものである。
【０００６】
【発明の実施の形態】
この発明に係るケーキ圧送ポンプは上記のように構成してあり、ピストン作動弁を操作して供給回路から油圧モーターに油を圧入し、オーガーを回転させてホッパーに貯留したケーキを下部の開口から吸入管に落下させ、オーガーで供給口に向ってケーキを移送する。吸入管の供給口に配設した吸入弁シリンダーで吸入弁を開放すると同時に、油圧モーターの駆動油が圧送ピストンシリンダーのロッド側油室に供給され、圧送ピストンシリンダーのロッド側油室の不足する油圧を油槽から吸入回路に補給する。輸送管の端部に配設した吸入・輸送用の圧送ピストンシリンダーは、ロッド側油室の油圧で圧送ピストンを後退させて、開放した吸入管の供給口からケーキを輸送管に吸引する。次に、吸入管の供給口を吸入弁で閉止して、圧送ピストンシリンダーのヘッド側油室に油を圧入し、圧送ピストンを前進させて輸送管に吸引したケーキを圧送する。この操作を連続して繰返しケーキを輸送する。
【０００７】
【実施例】
この発明に係るケーキ圧送ポンプについて、図面に基づき詳述すると、図１は圧送ポンプであって、ホッパー１の下部に設けた開口１ａに吸入管２が連結してあり、吸入管２の後端の供給口３がケーキの輸送管４の周壁に連結してある。吸入管２には油圧モーター５を配設したオーガー６が内設してあり、ホッパー１の下部に設けた開口１ａに対設してある。そして、ホッパー１に供給したケーキをホッパー１の下端の開口１ａから吸入管２に落下させ、オーガー６を回転させて吸入管２の後端部に設けた供給口３の方向にケーキを移送するようにしてある。吸入管２の供給口３に吸入弁７が対設してあり、この吸入弁７に吸入弁シリンダー８のピストンロッド８ａが輸送管４を貫通して連結してある。そして、吸入弁シリンダー８のピストンロッド８ａを伸縮させて吸入弁７を移動させ、供給口３を開閉するようにしてある。吸入管２を連結した輸送管４の端部に吸入・輸送用の圧送ピストンシリンダー９が配設してあり、圧送ピストンシリンダー９に連結した圧送ピストン１０を後退させて、吸入弁７を開放した吸入管２の供給口３からケーキを輸送管４の端部に吸引するようにしてある。この輸送管４に吸入したケーキは、圧送ピストン１０を前進させて輸送するようにしてある。なお、符号１１は輸送管４の端部から圧送したケーキの逆流を防止する逆止弁である。
【０００８】
図２に示すように、オーガー６を作動させる油圧モーター５と圧送ピストンシリンダー９にピストン作動弁１２が配設してあり、油圧モーター５への油の駆動回路１３と圧送ピストンシリンダー９のヘッド側油室９ａに連結した圧送回路１４がピストン作動弁１２にそれぞれ接続してある。ピストン作動弁１２には油圧ポンプ１５で油槽１６から油を供給する供給回路１７と油を油槽１６に返送する返送回路１８が接続してある。油圧モーター５の駆動油の排出回路１９と圧送ピストンシリンダー９のロッド側油室９ｂの吸入回路２０が連結してあり、油圧モーター５の駆動油を圧送ピストンシリンダー９のロッド側油室９ｂに供給するようにしてある。
【０００９】
図２に示すように、排出回路１９と吸入回路２０の連結点Ｃに給排回路２１が分岐させて連結してあり、その他端がピストン作動弁１２の駆動回路１３に連結してある。この給排回路２１に流量調整弁２２と圧力調整弁２３が直列に配列してあり、ピストン作動弁１２から油槽１６の油を油圧モーター５に供給する時に、給排回路２１から吸入回路２０に供給量と供給圧を調整しながら油を圧送させるようにしてある。圧送ピストンシリンダー９のロッド側油室９ｂに供給する油圧モーター５の駆動油では油圧が不足する油を、給排回路２１から吸入回路２０に補充するものである。また、給排回路２１に逆止弁２４を介装した並列回路２５が並設してあり、圧送ピストンシリンダー９のヘッド側油室９ａに油を圧入した時に、ロッド側油室９ｂから排出される油を給排回路２１の並列回路２５から油槽１６に返送するようにしてある。
【００１０】
図２に示すように、吸入弁シリンダー８に吸入作動弁２６が配設してあり、この吸入作動弁２６には、ピストン作動弁１２に接続した供給回路１７と返送回路１８が分岐させて連結してある。吸入管２の後端部に設けた供給口３の開閉は、吸入作動弁２６の弁開側ソレノイドバルブ２６ａを作動して吸入弁シリンダー８の開放回路２７側のＢ点を供給回路１７側のＰ点に連結し、同時に閉塞回路２８側のＡ点を返送回路１８側のＴ点に連結し、供給回路１７に配設した油圧ポンプ１５で油槽１６の油を吸入弁シリンダー８のロッド側油室８ｂに供給し、図１に示す吸入管２の供給口３に対設した吸入弁７を後退させて供給口３を開放し、輸送管４にケーキが流入できるようにしてある。
【００１１】
また、吸入作動弁２６の弁閉側ソレノイドバルブ２６ｂを作動して吸入弁シリンダー８の閉塞回路２８側のＡ点を供給回路１７側のＰ点に連結し、同時に開放回路２７側のＢ点を返送回路１８側のＴ点に連結し、吸入弁シリンダー８のヘッド側油室８ｃに油を供給して吸入管２の供給口３を閉塞して、輸送管４に吸入してあるケーキを、圧送ピストン１０を前進させて輸送できるようにしてある。なお、符号２９は供給回路２５に設けた圧力計、符号３０は返送回路２６に設けた圧抜き弁、符号３１、３２は供給回路１７と返送回路１８にそれぞれ設けたフイルターと吸込弁である。
【００１２】
図３に示す太線で記載の油圧回路は、圧送ポンプのケーキ充填フローであって、先ず、図２に示す吸入作動弁２６の弁開側ソレノイドバルブ２６ａを作動して開放回路２７から吸入弁シリンダー８のロッド側油室８ｂに油を圧入し、吸入管２の供給口３に対設した吸入弁７を後退させて供給口３を開放する。同時に、図３に示すように、ピストン作動弁１２の充填側ソレノイドバルブ１２ａを作動して、油圧モーター５の駆動回路１３側のＢ点と、油槽１６の供給回路１７側のＰ点を接続し、油圧ポンプ１５で油圧モーター５に油を圧入してオーガー６を回転させる。ホッパー１の下端の開口１ａから吸入管２に落下したケーキをオーガー６が吸入管２の後端部に設けた供給口３の方向に移送させる。油圧モーター５から排出回路１９に排出された駆動油は、吸入回路２０から圧送ピストンシリンダー９のロッド側油室９ｂに供給される。
【００１３】
油圧モーター５に圧入される油は、駆動回路１３から分岐させた給排回路２２にも供給され、給排回路１９から供給量と供給圧を調整した油を吸入回路２０に圧送される。油圧モーター５の駆動油では圧送ピストンシリンダー９のロッド側油室９ｂに供給される油圧が不足する油を補給する。そして、圧送ピストンシリンダー９のロッド側油室９ｂに油が圧入されて、圧送ピストンシリンダー９に連結した圧送ピストン１０が後退することにより、ケーキが輸送管４に吸引される。また、ピストン作動弁１２の充填側ソレノイドバルブ１２ａの操作により、圧送ピストンシリンダー９の圧送回路１４側のＡ点が、油槽１６の返送回路１８側のＴ点に接続され、圧送ピストンシリンダー９のヘッド側油室９ａから油が抜き出され、油槽１６に返送される。
【００１４】
図４に示す太線で記載の油圧回路は、圧送ポンプのケーキ押出フローであって、ピストン作動弁１２の押出側ソレノイドバルブ１２ｂを作動して、圧送ピストンシリンダー９の圧送回路１４側のＡ点と、油槽１６の供給回路１７側のＰ点を接続し、圧送ピストンシリンダー９のヘッド側油室９ａに油圧ポンプ１５から油を圧入して、この輸送管４に吸入したケーキを、圧送ピストン１０を前進させて輸送するようにしてある。同時に、油圧モーター５の駆動回路１３側のＢ点と、油槽１６の返送回路１８側のＴ点が接続され、圧送ピストンシリンダー９のロッド側油室９ａから吸入回路２０に押し出された油を、給排回路２１から分岐させた並列回路２５を経由して、油槽１６に返送させるようにしてある。
【００１５】
【発明の効果】
以上のように、この発明のケーキ圧送ポンプは、輸送管へのケーキ送出し用の油圧モーターの駆動油を圧送ピストンシリンダーのロッド側油室に供給して、輸送管のケーキ充填用の動力として利用できるものである。即ち、従来のダブルシリンダー型の圧送ポンプは、バルブの開閉が頻繁となり耐久性に問題があった。また、従来のシングル型の圧送ポンプでは、圧送ポンプの作動が断続的となり、油圧の動力が増加して油圧タンクも大きくなる欠点があったものであるが、この発明にあっては、ホッパーの下方に設けた吸入管をケーキの輸送管に連結し、吸入管の供給口に配設した吸入弁と輸送管に内設した吸入・輸送用の圧送ピストンシリンダーを連動させてケーキを輸送する圧送ポンプにおいて、上記吸入管に内設したオーガーに油圧モーターを配設し、この油圧モーターの駆動油の排出回路を圧送ピストンシリンダーのロッド側油室の吸入回路に連結して、油圧モーターの駆動油を圧送ピストンシリンダーのロッド側油室に供給するもので、シングル型のケーキ圧送ポンプの油圧を有効利用してホッパーからのケーキの供給と、輸送管へのケーキの吸込みを連動させるケーキ圧送ポンプとなるものである。そして、油圧モーターの駆動油の排出回路と、圧送ピストンシリンダーのロッド側油室への吸入回路の連結点に給排回路を連結し、この給排回路に流量調整弁と圧力調整弁を直列に配列してピストン作動弁に接続して、圧送ピストンシリンダーのロッド側油室の不足する油圧を油槽から吸入回路に補給するもので、使用する油量が減少され、油圧タンクも小さくなるものである。
【図面の簡単な説明】
【図１】この発明に係るケーキ圧送ポンプの縦断側面図である。
【図２】ケーキ圧送ポンプに用いる油圧回路のフローチャートである。
【図３】油圧回路の要部フローチャートであって、圧送ポンプのケーキ充填フローである。
【図４】油圧回路の要部フローチャートであって、圧送ポンプのケーキ押出フローである。
【符号の説明】
１  ホッパー
２  吸入管
３  供給口
４  輸送管
５  油圧モーター
６  オーガー
７  吸入弁
９  圧送ピストンシリンダー
９ａ  ヘッド側油室
９ｂ  ロッド側油室
１２  ピストン作動弁
１３  駆動回路
１４  圧送回路
１６  油槽
１９  排出回路
２０  吸入回路
２１  給排回路
２２  流量調整弁
２３  圧力調整弁
２４  逆止弁
２５  並列回路
Ｃ  連結点
【図１】
0004054954.tif 000002
【図２】
0004054954.tif 000003
【図３】
0004054954.tif 000004
【図４】
0004054954.tif 000005